(57)【特許請求の範囲】
【請求項１】
光源装置と、前記光源装置から射出された光束を複数の色光に分離する色分離光学系と、これら分離された色光毎に画像情報に応じて変調する複数の光変調装置と、各光変調装置で変調された光学像を合成する色合成光学装置と、この合成された光学像を拡大投射する投射光学装置とを備えたプロジェクタであって、
前記光源装置を含んで構成され、前記光源装置から射出された光束を複数の部分光束に分割し、各部分光束を前記光変調装置の画像形成領域上に重畳させるインテグレータ照明光学系が設けられ、
前記インテグレータ照明光学系は、前記光源装置から射出された光束を複数の部分光束に分割する複数のレンズ要素を有する第１レンズアレイと、前記第１レンズアレイの前記複数のレンズ要素に応じた複数のレンズ要素を有する第２レンズアレイと、前記第２レンズアレイから射出された前記複数の部分光束を前記光変調装置の画像形成領域に重畳させる重畳レンズとを含んで構成され、
前記第２レンズアレイおよび前記重畳レンズ間の光路中において、前記光源装置から射出された光束を前記光変調装置の画像形成領域に結像させる光学系の合成焦点面には、前記光束の所定のスペクトル成分を反射し、他のスペクトル成分を透過する光学フィルタが配設され、
前記光学フィルタは、前記光束を射出する光束射出側端面が前記光束の光軸に直交する平面に対して所定角度、傾斜するように配設されていることを特徴とするプロジェクタ。
【請求項２】
請求項１に記載のプロジェクタにおいて、
前記光学フィルタは、前記色分離光学系の光路前段側に配設されていることを特徴とするプロジェクタ。
【請求項３】
請求項１または請求項２に記載のプロジェクタにおいて、
前記光束の光路上に配置される光学部品を収納する光学部品用筐体と、
前記光学フィルタを支持し、前記光学部品用筐体内部で前記光学フィルタを、前記光束射出側端面が前記光束の光軸に直交する平面に対して所定角度、傾斜した状態で前記光束の光路内外に移動させる移動機構とを備えていることを特徴とするプロジェクタ。
【請求項４】
請求項３に記載のプロジェクタにおいて、
前記移動機構は、前記光学部品用筐体に固定される固定部材と、前記光学フィルタを支持し前記固定部材に対して移動可能に取り付けられる移動部材と、前記光学フィルタが前記光束の光路内外に位置するように前記移動部材を移動させる駆動機構とを含んで構成され、
前記移動部材は、平面視略コ字状の板体で構成され、コ字状内側部分にて前記光学フィルタを支持し、
前記移動部材におけるコ字状内側部分の対向する各端縁には、前記光学フィルタの対向する各端部側を挟持可能とする一対の第１支持部および一対の第２支持部がそれぞれ形成され、
前記一対の第１支持部と前記一対の第２支持部とは、前記光束の光軸方向に所定寸法ずれた位置にそれぞれ形成され、前記光学フィルタの光束射出側端面が前記光束の光軸に直交する平面に対して所定角度、傾斜した状態で前記光学フィルタを支持し、
前記一対の第１支持部のうち前記光学フィルタの傾斜方向と反対側の一方の第１支持部と前記光学フィルタとの部材間、および、前記一対の第２支持部のうち前記光学フィルタの傾斜方向と反対側の一方の第２支持部と前記光学フィルタとの部材間のうち少なくともいずれか一方の部材間には、前記光学フィルタを前記傾斜方向に付勢する付勢部材が配設されていることを特徴とするプロジェクタ。
【発明の詳細な説明】
【技術分野】
【０００１】
本発明は、プロジェクタに関する。
【背景技術】
【０００２】
従来、プレゼンテーションやホームシアタ等の分野において、プロジェクタが利用されている。このようなプロジェクタとしては、例えば、画質の向上等を目的として、光源装置と、この光源から射出された光束を複数の色光に分離する色分離光学系と、これら分離された色光毎に画像情報に応じて変調する液晶パネル等の三枚の光変調装置と、これら光変調装置で変調された色光を合成するプリズム等の合成光学系と、この合成された光学像を拡大投射する投射レンズ等の投射光学装置とを備えたものがある。
【０００３】
以上のようなプロジェクタでは、ビジネスユースのデータプロジェクタとして利用する際に、投影画像に十分な輝度を与えることを目的として、光源には、緑色の波長帯（500nm〜570nm程度）や、青色の波長帯（420nm〜460nm程度）における相対スペクトル強度が高い高圧放電ランプ等が利用されている。
【０００４】
ところで、以上のような光源を備えるプロジェクタをホームユースに転用しようとしても、緑色の波長帯が強く現れることから、投影画像において、白色となる部分が緑色がかった白色になってしまい、それを光変調装置を使用して修正しようとした場合、明るさとコントラストが低下するという問題があった。
この問題を解決するため、所定のスペクトル成分を除去する光学フィルタを、投射レンズの光路後段側に配設する構成が知られている（例えば、特許文献１参照）。
この特許文献１に記載の光学フィルタは、基板と、この基板の光束入射面に積層された屈折率の異なる光学変換膜とを有する反射型光学フィルタである。そして、光学フィルタを投射レンズの光路後段側に配設することで、投射レンズから射出された光学像が光学フィルタを通過し、投影画像のコントラストの低下が防止される。
【０００５】
【特許文献１】特開２００４−４５４８２号公報
【発明の開示】
【発明が解決しようとする課題】
【０００６】
しかしながら、特許文献１に記載の光学フィルタは、光束の入射角度によって反射特性が異なる性質を有している。また、投射レンズは、投影画像を大きく形成するために、光束を光路中心に対して所定角度で拡がるように射出する構造である。このため、投影画像の端部を形成する光束は、光学フィルタの光束入射側端面に対する入射角が大きくなり、投影画像の端部と中央部とで色むらが生じやすい。
【０００７】
本発明の目的は、投影画像のコントラストの低下を防止できるとともに、色むらを低減できるプロジェクタを提供することにある。
【課題を解決するための手段】
【０００８】
本発明のプロジェクタは、光源装置と、前記光源装置から射出された光束を複数の色光に分離する色分離光学系と、これら分離された色光毎に画像情報に応じて変調する複数の光変調装置と、各光変調装置で変調された光学像を合成する色合成光学装置と、この合成された光学像を拡大投射する投射光学装置とを備えたプロジェクタであって、前記光源装置を含んで構成され、前記光源装置から射出された光束を複数の部分光束に分割し、各部分光束を前記光変調装置の画像形成領域上に重畳させるインテグレータ照明光学系が設けられ、前記インテグレータ照明光学系は、前記光源装置から射出された光束を複数の部分光束に分割する複数のレンズ要素を有する第１レンズアレイと、前記第１レンズアレイの前記複数のレンズ要素に応じた複数のレンズ要素を有する第２レンズアレイと、前記第２レンズアレイから射出された前記複数の部分光束を前記光変調装置の画像形成領域に重畳させる重畳レンズとを含んで構成され、前記第２レンズアレイおよび前記重畳レンズ間の光路中において、前記光源装置から射出された光束を前記光変調装置の画像形成領域に結像させる光学系の合成焦点面には、前記光束の所定のスペクトル成分を反射し、他のスペクトル成分を透過する光学フィルタが配設され、前記光学フィルタは、前記光束を射出する光束射出側端面が前記光束の光軸に直交する平面に対して所定角度、傾斜するように配設されていることを特徴とする。
ここで、光源装置としては、例えば、高圧放電ランプを採用できる。
また、光学フィルタとしては、例えば、青板ガラスまたは白板ガラス等からなるガラス基板と、このガラス基板の表面に屈折率の異なる薄膜が積層された光学変換膜とを有する光学フィルタを採用できる。
【０００９】
本発明によれば、光学フィルタを光源装置から光変調装置までの光路中に配設することで、光学フィルタにて光源装置から射出された光束の所定のスペクトル成分を除去できる。例えば、光学フィルタにて緑色の波長帯のスペクトル成分を所定の割合で除去することで、白色となる部分が緑色がかった白色となることがなく、投影画像のコントラストの低下も防止できる。
また、光学フィルタを光源装置から光変調装置までの光路中に配設することで、例えば、光学フィルタを投射光学装置の光路後段側に配設する構成と比較して、光学像の端部を形成する光束と中心部を形成する光束との光学フィルタの光束入射側端面に対する入射角の差を小さくでき、色むらを低減できる。
【００１０】
ところで、光学フィルタの光束射出側端面が光束の光軸に直交するように、光学フィルタを光源装置から光変調装置までの光路中に配設した場合には、例えば、以下の問題が生じやすい。
例えば、光源装置から射出された光束が光変調装置（液晶パネル）に照射された際、光変調装置の構造上、光変調装置における外縁部分にて光束が反射してプロジェクタ内部において迷光となることが知られている。
そして、光変調装置の外縁部分にて反射された迷光は、光源装置〜光変調装置までの光束の軌跡を辿って光源装置に向けて戻る。この際、光学フィルタの光束射出側端面が光束の光軸に直交するように配設されている場合には、迷光が光学フィルタの光束射出側端面にて反射し、再度、迷光が光変調装置の画像形成領域等に照射される。このような状態では、光変調装置の画像形成領域に不要な光が入り込むため、該不要な光により投影画像の色むらの増加等が生じ、投影画像を良好に維持することができない。
これに対して、本発明では、光学フィルタは、光束射出側端面が光束の光軸に直交する平面に対して所定角度、傾斜するように配設されている。このことにより、光学フィルタの光束射出側端面にて反射した迷光が光変調装置の画像形成領域から外れるように、光学フィルタの傾斜角度を設定しておけば、光変調装置の画像形成領域に不要な光が入り込むことを防止でき、投影画像を良好に維持できる。
ところで、光源装置から光変調装置までの光路中において、重畳レンズと、重畳レンズから光変調装置までの光路中に配設され重畳レンズから射出された光束を該重畳レンズとともに光変調装置の画像形成領域に結像させるレンズ等の光学系との前側合成焦点面から外れた位置（以下、非焦点面位置と記載する）、例えば、重畳レンズの光路後段側等に、光学フィルタを配設した場合には、光変調装置の外縁部分にて反射された迷光は、光学フィルタの光束射出側端面にて発散光として反射されてしまう。
例えば、光学フィルタの光束射出側端面が光束の光軸に直交するように前記非焦点面位置に配設した場合には、光変調装置の外縁部分にて反射された迷光は、光源装置〜光変調装置までの光束の軌跡を辿って光源装置に向けて戻り、光学フィルタの光束射出側端面にて発散光として反射され、光変調装置の画像形成領域を平面的に覆うように光変調装置を照射する。すなわち、迷光の光変調装置への照射面積が比較的に大きいものとなる。したがって、光学フィルタの光束射出側端面にて反射した迷光が光変調装置の画像形成領域から外れるように光学フィルタの傾斜角度を設定する際、迷光の光変調装置への照射面積が比較的に大きいので光変調装置に照射される迷光を移動させるための移動量が大きくなり、すなわち、前記傾斜角度を比較的に大きくする必要があり、光学フィルタの傾斜角度分、光学フィルタの光軸方向の設置スペースを余計に必要としてしまう。また、光学フィルタを必要以上に傾斜させた場合には、光学フィルタの特性上、投影画像に色むらや色ずれが生じやすい。
本発明では、光源装置から光変調装置までの光路中において、重畳レンズと、重畳レンズから光変調装置までの光路中に配設され重畳レンズから射出された光束を該重畳レンズとともに光変調装置の画像形成領域に結像させるレンズ等の光学系との前側合成焦点面近傍位置（以下、焦点面位置と記載する）、すなわち、第２レンズアレイおよび重畳レンズ間に、光学フィルタが配設される。このため、光変調装置の外縁部分にて反射された迷光を、該光学フィルタの光束射出側端面にて収束光として反射させることができる。
例えば、光学フィルタの光束射出側端面が光束の光軸に直交するように前記焦点面位置に配設した場合、光変調装置の外縁部分にて反射された迷光は、光源装置〜光変調装置までの光束の軌跡を辿って光源装置に向けて戻り、光学フィルタの光束射出側端面にて収束光として反射され、再度、光変調装置の外縁部分に結像する。すなわち、迷光の光変調装置への照射面積が小さいものとなる。したがって、光学フィルタの光束射出側端面にて反射した迷光が光変調装置の画像形成領域から外れるように光学フィルタの傾斜角度を設定する際、迷光の光変調装置への照射面積が小さいので光変調装置に照射される迷光を移動させるための移動量が小さくなり、すなわち、前記傾斜角度を比較的に小さいものとすることができ、光学フィルタの光軸方向の設置スペースを大きくすることがない。また、光学フィルタの傾斜角度を小さく設定できるので、光学フィルタを必要以上に傾斜させることにより投影画像に色むらや色ずれが生じることを回避できる。
【００１１】
本発明のプロジェクタでは、前記光学フィルタは、前記色分離光学系の光路前段側に配設されていることが好ましい。
本発明では、光学フィルタは、色分離光学系の光路前段側、すなわち、色分離光学系にて複数の色光に分離される分離位置よりも光路前段側に配置されている。このため、光学フィルタにて、光源装置から射出された光束の例えば、赤、緑、青等の各色の波長帯のスペクトル成分をそれぞれ補正することができ、各色の強度バランスを所望の強度バランスに設定でき、投影画像を所望の色合いで表示できる。
【００１５】
本発明のプロジェクタでは、前記光束の光路上に配置される光学部品を収納する光学部品用筐体と、前記光学フィルタを支持し、前記光学部品用筐体内部で前記光学フィルタを、前記光束射出側端面が前記光束の光軸に直交する平面に対して所定角度、傾斜した状態で前記光束の光路内外に移動させる移動機構とを備えていることが好ましい。
本発明によれば、光学フィルタが移動機構により移動可能に支持されているので、移動機構によって、ビジネスユースの場合は光学フィルタを光路上から退避させておき、ホームユースの場合は光学フィルタを光路上に移動させることで使用目的に応じて適切な投影画像を得ることができる。
【００１６】
ところで、例えば、移動機構として、光学フィルタをその面外方向に回動させる構成を採用した場合には、光学フィルタの回動時に他の光学部品と機械的に干渉しないように、光学フィルタの光軸方向の設置スペースを比較的大きく設定する必要がある。
本発明では、移動機構は、光学フィルタを光束射出側端面が光束の光軸に直交する平面に対して所定角度、傾斜した状態で光束の光路内外に移動（スライド移動）させる。このことにより、例えば、移動機構により光学フィルタをその面外方向に回動させる構成と比較して、光学フィルタの光軸方向の設置スペースを小さく設定でき、光学フィルタのレイアウトの自由度を向上できる。
【００１７】
本発明のプロジェクタでは、前記移動機構は、前記光学部品用筐体に固定される固定部材と、前記光学フィルタを支持し前記固定部材に対して移動可能に取り付けられる移動部材と、前記光学フィルタを前記光束の光路内外に位置するように前記移動部材を移動させる駆動機構とを含んで構成され、前記移動部材は、平面視略コ字状の板体で構成され、コ字状内側部分にて前記光学フィルタを支持し、前記移動部材におけるコ字状内側部分の対向する各端縁には、前記光学フィルタの対向する各端部側を挟持可能とする一対の第１支持部および一対の第２支持部がそれぞれ形成され、前記一対の第１支持部と前記一対の第２支持部とは、前記光束の光軸方向に所定寸法ずれた位置にそれぞれ形成され、前記光学フィルタの光束射出側端面が前記光束の光軸に直交する平面に対して所定角度、傾斜した状態で前記光学フィルタを支持し、前記一対の第１支持部のうち前記光学フィルタの傾斜方向と反対側の一方の第１支持部と前記光学フィルタとの部材間、および、前記一対の第２支持部のうち前記光学フィルタの傾斜方向と反対側の一方の第２支持部と前記光学フィルタとの部材間のうち少なくともいずれか一方の部材間には、前記光学フィルタを前記傾斜方向に付勢する付勢部材が配設されていることが好ましい。
【００１８】
本発明では、移動機構を構成する移動部材には一対の第１支持部および一対の第２支持部が形成され、一対の第１支持部および一対の第２支持部は光束の光軸方向に所定寸法ずれた位置にそれぞれ形成されている。このことにより、一対の第１支持部および一対の第２支持部にて光学フィルタの対向する各端部側を支持することで、光学フィルタの光束射出側端面が光束の光軸に直交する平面に対して所定角度、傾斜した状態に容易に設定できる。
また、付勢部材にて光学フィルタを傾斜方向に付勢することで光学フィルタを移動部材に対して取り付けているので、光学フィルタの何らかの不具合により交換を行う際に、付勢部材を取り外すことで、光学フィルタに対する付勢状態を開放することができ、容易に光学フィルタの交換を行うことができる。
さらに、移動部材が平面視略コ字形状を有しているので、該コ字状先端部分が光束の光軸に近接する側に位置するように配設すれば、光学フィルタを光路内外に移動させる際に、移動部材にて光束を遮蔽することがなく、投影画像を良好に維持できる。
【発明を実施するための最良の形態】
【００１９】
以下、本発明の実施の一形態を図面に基づいて説明する。
〔１．外観構成〕
図１および図２は、プロジェクタ１の外観を示す斜視図である。具体的に、図１は、プロジェクタ１を前面上方側から見た斜視図である。図２は、プロジェクタ１を背面上方側から見た斜視図である。
プロジェクタ１は、光源から射出される光束を画像情報に応じて変調して光学像を形成し、形成した光学像をスクリーン（図示略）上に拡大投射するものである。このプロジェクタ１は、図１または図２に示すように、略直方体状の外装筺体２、およびこの外装筺体２から露出する投射光学装置としての投射レンズ３を備える。
投射レンズ３は、筒状の鏡筒内に複数のレンズが収納された組レンズとして構成され、プロジェクタ１の装置本体により画像情報に応じて変調された画像光を拡大投射する。
【００２０】
外装筺体２は、合成樹脂製の筺体であり、プロジェクタ１の装置本体を収納する。この外装筺体２は、図１または図２に示すように、装置本体の上部部分を覆うアッパーケース２１と、装置本体の下部部分を覆うロアーケース２２と、装置本体の前面部分を覆うフロントケース２３（図１）とを備える。
アッパーケース２１は、図１または図２に示すように、外装筺体２の天面、側面の一部、背面の一部、および前面の一部をそれぞれ形成する天面部２１Ａ、側面部２１Ｂ（図２），２１Ｃ（図１）、背面部２１Ｄ（図２）、および前面部２１Ｅ（図１）を含んで構成される。
【００２１】
天面部２１Ａは、図１または図２に示すように、平面視略矩形形状を有し、平面視略中央部分から前面側、側面側、および背面側にかけて、なだらかに湾曲し、凸曲面形状を有する。
この天面部２１Ａにおいて、前方側であって、前方から見て右側部分には、図１または図２に示すように、２つの開口部２１Ａ１が形成されている。そして、２つの開口部２１Ａ１は、投射レンズ３を操作可能としスクリーン（図示略）上に投射された投影画像の投射位置調整を実施するための各種回転つまみ３Ａの一部を露出させる。
また、この天面部２１Ａにおいて、開口部２１Ａ１の後方側には、図１または図２に示すように、プロジェクタ１の起動・調整操作を実施する操作パネル２４が左右方向に延びるように設けられている。操作パネル２４の操作ボタン２４１を適宜押下すると、操作ボタン２４１内部に配置される図示しない回路基板に実装されたタクトスイッチと接触し、所望の操作が可能となる。また、前記回路基板には、図示しないＬＥＤ（Light Emitting Diode）が取り付けられており、所定の操作に応じて発光するようになっている。
なお、前述した操作パネル２４の回路基板は、制御基板（図示略）と電気的に接続され、操作ボタン２４１の押下に伴う操作信号は、前記制御基板に出力される。
【００２２】
側面部２１Ｂ，２１Ｃ、背面部２１Ｄ、および前面部２１Ｅは、図１または図２に示すように、天面部２１Ａにおける平面視矩形形状の各端縁から略垂下する部分である。
これらのうち背面部２１Ｄにおいて、背面側から見て左側部分には、図２に示すように、下端縁から上方側に向けて平面視コ字状の切り欠き２１Ｄ１が形成されている。
また、前面部２１Ｅには、図１に示すように、下端縁から上方側に向けて平面視コ字状の切り欠き２１Ｅ１が形成されている。
【００２３】
ロアーケース２２は、図１または図２に示すように、外装筺体２の底面、側面の一部、背面の一部、および前面の一部をそれぞれ形成する底面部２２Ａ、側面部２２Ｂ（図２），２２Ｃ（図１）、背面部２２Ｄ（図２）、および前面部２２Ｅ（図１）を含んで構成される。
底面部２２Ａは、具体的な図示は省略するが、略矩形状の平坦面で構成されている。そして、この底面部２２Ａには、机等の接地面に接地する複数の脚部や、プロジェクタ１内部に外部の冷却空気を導入するための吸気口が形成されている。
【００２４】
側面部２２Ｂ，２２Ｃ、背面部２２Ｄ、および前面部２２Ｅは、図１または図２に示すように、底面部２２Ａにおける平面視矩形形状の各端縁から上方に立設する部分である。
これらのうち背面部２２Ｄにおいて、背面側から見て左側部分には、図２に示すように、上端縁から下方側に向けて平面視コ字状の切り欠き２２Ｄ１が形成されている。そして、アッパーケース２１およびロアーケース２２を組み合わせた状態で切り欠き２１Ｄ１，２２Ｄ１が接続して開口部２５が形成される。この開口部２５には、図２に示すように、該開口部２５の形状に対応した外形形状を有する接続端子設置部２６が嵌合固定される。
この接続端子設置部２６は、図２に示すように、背面部２１Ｄ，２２Ｄの端面よりも内側に窪む断面略コ字形状を有し、底部分に複数の孔２６１が形成されている。そして、図２に示すように、これら複数の孔２６１を介して、外部の電子機器からの画像信号、音声信号等を入力するための複数の接続端子２７が露出している。また、この接続端子設置部２６の内側には、接続端子２７から入力される信号を処理するインターフェース基板（図示略）が配置されている。
なお、前記インターフェース基板は、制御基板（図示略）と電気的に接続され、インターフェース基板にて処理された信号は、制御基板に出力される。
【００２５】
また、背面部２２Ｄにおいて、切り欠き２２Ｄ１の下方側には、図２に示すように、２つの開口部２２Ｄ２，２２Ｄ３が形成されている。そして、図２に示すように、背面側から見て左側に位置する開口部２２Ｄ２を介して内部のインレットコネクタ２８が露出し、外部の電力をプロジェクタ１の装置本体に供給可能としている。また、図２に示すように、背面側から見て右側に位置する開口部２２Ｄ３を介して電源スイッチ２９が露出し、該電源スイッチ２９を切り替えることで、プロジェクタ１の主電源のＯＮ／ＯＦＦが可能となる。
なお、この電源スイッチ２９は、制御基板（図示略）と電気的に接続され、電源スイッチ２９の切り替えに伴う操作信号は、前記制御基板に出力される。
【００２６】
また、前面部２２Ｅには、図１に示すように、上端縁から下方側に向けて平面視コ字状の切り欠き２２Ｅ１が形成されている。そして、アッパーケース２１およびロアーケース２２が組み合わされた状態で、前面部２１Ｅの切り欠き２１Ｅ１のコ字状内側部分、および前面部２２Ｅの切り欠き２２Ｅ１のコ字状内側部分にてフロントケース２３が支持固定される。
【００２７】
フロントケース２３は、図１に示すように、左右方向に延びる略楕円形状を有し、アッパーケース２１およびロアーケース２２と接続することで、切り欠き２１Ｅ１，２２Ｅ１にて形成される開口部分を閉塞する。
このフロントケース２３において、前方から見て右側部分には、図１に示すように、外装筺体２の内側に窪み、底部分に略円形状の開口２３１が形成されている。そして、この開口２３１は、投射レンズ３の先端部分を露出させる。
また、このフロントケース２３において、長手方向略中央部分には、図１に示すように、リモコン受光窓２３２が形成されている。そして、このリモコン受光窓２３２の内側には、リモートコントローラ（図示略）からの操作信号を受信するリモコン受光モジュール（図示略）が配置されている。
なお、リモートコントローラには、前述した操作パネル２４に設けられる起動スイッチ、調整スイッチ等と同様のものが設けられていて、リモートコントローラを操作すると、この操作に応じた赤外線信号がリモートコントローラから出力され、赤外線信号は、リモコン受光窓２３２を介してリモコン受光モジュールで受光され、制御基板（図示略）で処理される。
【００２８】
さらに、このフロントケース２３において、前方から見て左側部分には、図１に示すように、プロジェクタ１内部にて温められた空気を外部に排出するための平面視矩形状の排気口２３３が形成されている。
また、この排気口２３３周縁部分は、図１に示すように、内部に向けて突出する筒形状を有するように形成されている。より具体的には、排気口２３３周縁部分は、投射レンズ３に近接する方向に向けて投射レンズ３からの投射方向に対して傾斜して突出する筒形状を有するように形成されている。そして、排気口２３３の筒状内側部分には、図１に示すように、上下に架設され、排気口２３３周縁部分の突出方向に延出する複数の羽根板２３３Ａが形成されている。
【００２９】
〔２．内部構成〕
図３および図４は、プロジェクタ１の内部構成を示す図である。具体的に、図３は、アッパーケース２１および制御基板を取り外した状態を前面上方側から見た斜視図である。図４は、アッパーケース２１および制御基板を取り外した状態を背面上方側から見た斜視図である。
外装筺体２の内部には、図３または図４に示すように、プロジェクタ１の装置本体が収容されている。この装置本体は、光学装置としての光学ユニット４と、電源ユニット５と、冷却ユニット６等を含んで構成される。
なお、装置本体は、図示は省略するが、光学ユニット４、電源ユニット５、および冷却ユニット６の他、光学ユニット４の上方側に配置されプロジェクタ１全体を制御する制御基板等を備えている。
【００３０】
〔３．光学ユニットの詳細な構成〕
図５は、光学ユニット４の光学系を模式的に示す平面図である。
光学ユニット４は、前記制御基板による制御の下、画像情報に応じて画像光を形成する。この光学ユニット４は、図３または図４に示すように、外装筺体２内において、背面部２１Ｄ，２２Ｄに沿って左右方向に延び、側面部２１Ｂ，２２Ｂに沿って前方に延びる平面視Ｌ字形状を有している。
この光学ユニット４は、図５に示すように、インテグレータ照明光学系４１と、色分離光学系４２と、リレー光学系４３と、電気光学装置４４と、光学フィルタ装置９と、これらの光学部品４１〜４４および光学フィルタ装置９を内部に収納するとともに、投射レンズ３を所定位置で支持固定する合成樹脂製の光学部品用筐体４５とを備える。
インテグレータ照明光学系４１は、電気光学装置４４を構成する後述する各液晶パネルの画像形成領域をほぼ均一に照明するための光学系である。このインテグレータ照明光学系４１は、図５に示すように、光源装置４１１と、第１レンズアレイ４１２と、第２レンズアレイ４１３と、偏光変換素子４１４と、重畳レンズ４１５とを備えている。
【００３１】
光源装置４１１は、放射状の光線を射出する放射光源としての光源ランプ４１１Ａと、この光源ランプ４１１Ａから射出された放射光を反射するリフレクタ４１１Ｂと、ランプハウジング４１１Ｃ（図３ないし図５）とを備える。光源ランプ４１１Ａとしては、高圧放電ランプ、例えば、ハロゲンランプやメタルハライドランプ、または高圧水銀ランプ等を採用できる。リフレクタ４１１Ｂとしては、放物面鏡を用いている。なお、放物面鏡の他、平行化凹レンズと共に楕円面鏡を用いてもよい。
ランプハウジング４１１Ｃは、光源ランプ４１１Ａおよびリフレクタ４１１Ｂを内部に収納するものであり、ロアーケース２２の底面部分に取り付けられるとともに光学部品用筐体４５と接続する。
【００３２】
第１レンズアレイ４１２は、光軸方向から見てほぼ矩形状の輪郭を有する小レンズ（レンズ要素）がマトリクス状に配列された構成を有している。各小レンズは、光源ランプ４１１Ａから射出される光束を、複数の部分光束に分割している。
第２レンズアレイ４１３は、第１レンズアレイ４１２と略同様な構成を有しており、小レンズ（レンズ要素）がマトリクス状に配列された構成を有している。この第２レンズアレイ４１３は、重畳レンズ４１５とともに、第１レンズアレイ４１２の各小レンズの像を後述する液晶パネル上に結像させる機能を有している。
【００３３】
偏光変換素子４１４は、第２レンズアレイ４１３の光路後段側に配置される。このような偏光変換素子４１４は、第２レンズアレイ４１３からの光を略１種類の偏光光に変換するものであり、これにより、電気光学装置４４での光の利用効率が高められている。
具体的に、偏光変換素子４１４によって略１種類の偏光光に変換された各部分光は、重畳レンズ４１５によって最終的に電気光学装置４４の後述する各液晶パネル上にほぼ重畳される。偏光光を変換するタイプの液晶パネルを用いた本実施形態のプロジェクタ１では、１種類の偏光光しか利用できないため、他種類のランダムな偏光光を発する光源ランプ４１１Ａからの光束の略半分が利用されない。このため、偏光変換素子４１４を用いることにより、光源ランプ４１１Ａから射出された光束を略全て１種類の偏光光に変換し、電気光学装置４４での光の利用効率を高めている。
【００３４】
色分離光学系４２は、２枚のダイクロイックミラー４２１，４２２と、反射ミラー４２３とを備え、ダイクロイックミラー４２１，４２２によりインテグレータ照明光学系４１から射出された複数の部分光束を赤、緑、青の３色の色光に分離する機能を有している。
リレー光学系４３は、入射側レンズ４３１、リレーレンズ４３３、および反射ミラー４３２，４３４を備え、色分離光学系４２で分離された色光を青色光用の液晶パネルまで導く機能を有している。
【００３５】
この際、色分離光学系４２のダイクロイックミラー４２１では、インテグレータ照明光学系４１から射出された光束の青色光成分と緑色光成分とが透過するとともに、赤色光成分が反射する。ダイクロイックミラー４２１によって反射した赤色光は、反射ミラー４２３で反射し、フィールドレンズ４１７を通って赤色光用の液晶パネルに達する。このフィールドレンズ４１７は、第２レンズアレイ４１３から射出された各部分光束をその中心軸（主光線）に対して平行な光束に変換する。他の緑色光および青色光用の液晶パネルの光入射側に設けられたフィールドレンズ４１７も同様である。
【００３６】
ダイクロイックミラー４２１を透過した青色光と緑色光のうちで、緑色光はダイクロイックミラー４２２によって反射し、フィールドレンズ４１７を通って緑色光用の液晶パネルに達する。一方、青色光はダイクロイックミラー４２２を透過してリレー光学系４３を通り、さらにフィールドレンズ４１７を通って青色光用の液晶パネルに達する。なお、青色光にリレー光学系４３が用いられているのは、青色光の光路の長さが他の色光の光路の長さよりも長いため、光の拡散等による光の利用効率の低下を防止するためである。すなわち、入射側レンズ４３１に入射した部分光束をそのまま、フィールドレンズ４１７に伝えるためである。なお、リレー光学系４３には、３つの色光のうちの青色光を通す構成としたが、これに限らず、例えば、赤色光を通す構成としてもよい。
【００３７】
電気光学装置４４は、３枚の光変調装置となる液晶パネル４４１（赤色光用の液晶パネルを４４１Ｒ、緑色光用の液晶パネルを４４１Ｇ、青色光用の液晶パネルを４４１Ｂとする）と、偏光板４４２と、視野角補正板４４４と、色合成光学装置としてのクロスダイクロイックプリズム４４３とを備えている。
液晶パネル４４１は、例えば、ポリシリコンＴＦＴ(Thin Film Transistor)をスイッチング素子として用いたものであり、色分離光学系４２で分離された各色光は、これら３枚の液晶パネル４４１とこれらの光束入射側および射出側にある偏光板４４２によって、画像情報に応じて変調されて光学像を形成する。
【００３８】
偏光板４４２は、液晶パネル４４１の光路前段側および光路後段側に配置される入射側偏光板４４２Ａ、射出側偏光板４４２Ｂを備える。
入射側偏光板４４２Ａは、色分離光学系４２で分離された各色光のうち、一定方向の偏光光のみ透過させ、その他の光束を吸収するものであり、水晶またはサファイア等からなる基板に偏光膜が貼付されたものである。そして、この入射側偏光板４４２Ａは、光学部品用筐体４５を構成する後述する位置調整機構により、光学部品用筐体４５内に設定される所定の照明光軸に対して位置調整可能に配置されている。
【００３９】
射出側偏光板４４２Ｂも、入射側偏光板４４２Ａと略同様に構成され、液晶パネル４４１から射出された光束のうち、所定方向の偏光光のみ透過させ、その他の光束を吸収するものである。また、基板を用いずに、偏光膜をクロスダイクロイックプリズム４４３に貼り付けてもよいし、基板をクロスダイクロイックプリズム４４３に貼り付けてもよい。
これらの入射側偏光板４４２Ａ、射出側偏光板４４２Ｂは、互いの偏光軸の方向が直交するように設定されている。
【００４０】
視野角補正板４４４は、基板上に液晶パネル４４１で形成された光学像の視野角を補正する機能を有する光学変換膜が形成されたものである。このような視野角補正板４４４を配置することにより、黒画面時の光漏れを低減し投影画像のコントラストが大幅に向上する。そして、この視野角補正板４４４は、入射側偏光板４４２Ａと略同様に、光学部品用筐体４５を構成する後述する位置調整機構により、光学部品用筐体４５内に設定される所定の照明光軸に対して位置調整可能に配置されている。
【００４１】
クロスダイクロイックプリズム４４３は、３枚の液晶パネル４４１から射出された色光毎に変調された画像を合成してカラー画像を形成するものである。なお、クロスダイクロイックプリズム４４３には、赤色光を反射する誘電体多層膜と青色光を反射する誘電体多層膜とが、４つの直角プリズムの界面に沿って略Ｘ字状に形成され、これらの誘電体多層膜によって３つの色光が合成される。
【００４２】
光学フィルタ装置９は、色分離光学系４２の光路前段側であって、第２レンズアレイ４１３および偏光変換素子４１４の間に配設され、光源ランプ４１１Ａから射出される光束のうち所定のスペクトル成分を反射して、投影画像の色合いを調整するものである。
なお、光学フィルタ装置９の詳細な構造については、後述する。
本実施形態では、重畳レンズ４１５と、重畳レンズ４１５から液晶パネル４４１までの光路中に配設され重畳レンズ４１５から射出された光束を重畳レンズ４１５とともに液晶パネル４４１の画像形成領域に結像させるフィールドレンズ４１７等の光学系との前側合成焦点面は、第２レンズアレイ４１３および重畳レンズ４１５間に位置付けられている。すなわち、光学フィルタ装置９を構成する後述する光学フィルタは、前記前側合成焦点面近傍に位置付けられることとなる。
【００４３】
以上説明した各光学系４１〜４４および光学フィルタ装置９は、光学部品用筺体４５内に収容されている。
光学部品用筐体４５は、図３ないし図５に示すように、内部に光源装置４１１から射出された光束の照明光軸Ａ（図５）が設定され、前述の各光学部品４１２〜４１５，４１７，４２１〜４２３，４３１〜４３４，４４２Ａ，４４４、および光学フィルタ装置９を上方からスライド式に嵌め込む溝部（図示略）がそれぞれ設けられた容器状の部品収納部材４５１（図３、図５）と、部品収納部材４５１の上部の開口を閉塞する蓋状の蓋状部材４５２と、蓋状部材４５２の一部を含み、入射側偏光板４４２Ａおよび視野角補正板４４４の双方の位置調整を実施する位置調整機構４４５（図３、図４）とを備えて構成されている。
また、平面視略Ｌ字状の光学部品用筐体４５の一端側には、照明光軸Ａ（図５）に対する所定位置に光源装置４１１が配設され、他端側には、照明光軸Ａに対する所定位置に投射レンズ３が固定されている。また、投射レンズ３の光路前段側には、電気光学装置４４が固定されている。
【００４４】
〔４．電源ユニットの構成〕
電源ユニット５は、インレットコネクタ２８（図２）を介して外部から供給された電力を各構成部材に供給するものである。この電源ユニット５は、図３または図４に示すように、光学ユニット４の光源装置４１１の側方であって、外装筺体２の側面部２１Ｃ，２２Ｃに沿って配設される。この電源ユニット５は、図３または図４に示すように、電源ブロック５１と、ランプ駆動ブロック５２とを備える。
電源ブロック５１は、光源装置４１１の側方に配設され、インレットコネクタ２８を介して外部から供給された電力をランプ駆動ブロック５２および前記制御基板等に供給する。この電源ブロック５１は、入力される交流を所定の電圧に変換するトランスや該トランスからの出力を所定の電圧の直流に変換する変換回路等が片面に実装された回路基板（図示略）と、この回路基板を覆う箱状部材５１１とを備える。
箱状部材５１１は、図３または図４に示すように、光源装置４１１とで略Ｌ字形状を有するように、前後方向に延出する形状を有している。そして、この箱状部材５１１には、背面側に冷却ユニット６からの空気を内部に導入するための第１導入口５１１Ａ（図４）が形成され、光源装置４１１とで形成される略Ｌ字形状の内側端面に内部の空気を外部に排出するための排出口５１１Ｂ（図３）が形成されている。また、図示は省略するが、この箱状部材５１１には、光源装置４１１から離間する側の端面にランプ駆動ブロック５２から排出された空気を導入するための第２導入口が形成されている。
【００４５】
ランプ駆動ブロック５２は、電源ブロック５１の側方で側面部２１Ｃ，２２Ｃに沿って配設され、光源装置４１１に安定した電圧で電力を供給するための変換回路等が片面に実装された回路基板（図示略）を備え、電源ブロック５１から入力した商用交流電流は、このランプ駆動ブロック５２によって整流、変換されて、直流電流や交流矩形波電流となって光源装置４１１に供給される。また、ランプ駆動ブロック５２の前記回路基板は、電源ブロック５１と同様に、箱状部材５２１内部に収納されている。
箱状部材５２１は、図３または図４に示すように、箱状部材５１１と平行に前後方向に延出する形状を有している。そして、この箱状部材５２１には、背面側に冷却ユニット６からの空気を内部に導入するための導入口５２１Ａ（図４）が形成され、箱状部材５１１と対向する側の端面に、箱状部材５１１の前記第２導入口に対応して、内部の空気を外部に排出するための排出口（図示略）が形成されている。
【００４６】
〔５．冷却ユニットの構成〕
冷却ユニット６は、プロジェクタ１内部の構成部材を冷却するものである。この冷却ユニット６は、図３または図４に示すように、電源ユニット５を主に冷却する電源ユニット冷却部６１と、プロジェクタ１内部の空気を外部に排出するための光源装置冷却部６２等を含んで構成される。
なお、具体的な図示は省略するが、冷却ユニット６は、各液晶パネル４４１や偏光変換素子４１４を冷却するための冷却ファンやダクトで構成される液晶パネル冷却部等も備えている。
【００４７】
電源ユニット冷却部６１は、図３または図４に示すように、光源装置４１１および電源ユニット５と外装筺体２の背面部２１Ｄ，２２Ｄとの間の空間に配設される。この電源ユニット冷却部６１は、図３または図４に示すように、吸気側ダクト６１１と、シロッコファン６１２と、第１排気側ダクト６１３とを備える。そして、電源ユニット冷却部６１は、シロッコファン６１２の駆動により、プロジェクタ１外部の冷却空気を、ロアーケース２２に形成された吸気口（図示略）〜吸気側ダクト６１１〜シロッコファン６１２〜排気側ダクト６１３の空気流通路を辿って電源ユニット５を構成する各箱状部材５１１，５２１の各導入口５１１Ａ，５２１Ａを介して各箱状部材５１１，５２１内部に導入する。電源ユニット５のうち箱状部材５２１内部に導入された空気は、箱状部材５２１の排出口（図示略）および箱状部材５１１の第２導入口（図示略）を介して箱状部材５１１内部に導入される。箱状部材５２１内部において、導入口５２１Ａから排出口へと空気が流通する際に、ランプ駆動ブロック５２の回路基板が冷却される。また、電源ユニット５のうち箱状部材５１１内部に導入された空気は、排出口５１１Ｂを介して、箱状部材５１１および光源装置４１１で形成される略Ｌ字形状の内側部分に排出される。箱状部材５１１内部において、第１導入口５１１Ａおよび第２導入口から排出口５１１Ｂへと空気が流通する際に、電源ブロック５１の回路基板が冷却される。
【００４８】
光源装置冷却部６２は、図３または図４に示すように、光源装置４１１および箱状部材５１１で形成される略Ｌ字形状の内側部分に配設される。この光源装置冷却部６２は、図３または図４に示すように、軸流ファン６２１と、第２排気側ダクト６２２とを備える。そして、光源装置冷却部６２は、軸流ファン６２１の駆動により、光源装置４１１および箱状部材５１１で形成される略Ｌ字形状の内側部分の空気（電源ユニット５を介して排出された空気等）や、その他の空間の空気を、軸流ファン６２１〜第２排気側ダクト６２２の空気流通路を辿ってフロントケース２３の排気口２３３を介して投射レンズ３の投射方向から離間する方向にプロジェクタ１外部へと排出する。より具体的に、光源装置４１１を構成するランプハウジング４１１Ｃには、図３または図４に示すように、前後方向に対向する各端面に空気を内外に流通可能とする複数の孔４１１Ｃ１が形成されており、軸流ファン６２１が駆動することにより、複数の孔４１１Ｃ１を介してランプハウジング４１１Ｃ内部の空気が軸流ファン６２１に吸入される。ランプハウジング４１１Ｃ内部において、複数の孔４１１Ｃ１を介して空気が流通する際に、光源ランプ４１１Ａやリフレクタ４１１Ｂが冷却される。
【００４９】
〔６．光源ランプのスペクトル特性〕
図６は、光源ランプ４１１Ａのスペクトル特性の一例を示す図である。
本実施形態では、光源ランプ４１１Ａとして、高圧水銀灯ランプを採用している。この光源ランプ４１１Ａにおいて、波長440nm近傍（420nm〜460nm程度）に青色光を示すスペクトルのピークが現れ、波長550nm近傍（500nm〜570nm程度）に緑色光を示すスペクトルのピークが現れ、赤色光は、600nm〜680nmで、青色光や緑色光のようなピークはない。赤色光の強度は、緑色光の強度に対して約６０％程度である。青色光の強度は、緑色光の強度に対して約９０％程度である。
【００５０】
〔７．光学フィルタ装置の構造〕
図７ないし図１２は、光学フィルタ装置９の概略構成を示す図である。具体的に、図７は、光束入射側の上方から見た光学フィルタ装置９の斜視図である。図８は、光束射出側の上方から見た光学フィルタ装置９を斜視図である。図９は、光束射出側から見た光学フィルタ装置９の平面図である。図１０は、光束入射側の下方から見た光学フィルタ装置９の分解斜視図である。図１１は、光束射出側の上方から見た光学フィルタ装置９の分解斜視図である。図１２は、側方から見た光学フィルタ装置９の断面図である。なお、以下では、説明の便宜上、入射光束の光軸をＺ軸、Ｚ軸に直交する２軸をＸ軸（水平軸）、Ｙ軸（垂直軸）とする。
光学フィルタ装置９は、図７ないし図１２に示すように、光学フィルタ９１と、移動機構９２とを備える。
【００５１】
〔7-1．光学フィルタの構成〕
光学フィルタ９１は、移動機構９２により移動自在に支持され、光路中に位置付けられた際に、入射光束の所定のスペクトル成分を反射し、他のスペクトル成分を透過するものである。この光学フィルタ９１は、具体的な図示は省略するが、青板ガラスまたは白板ガラス等からなるガラス基板と、このガラス基板の表面に対して、蒸着等により、屈折率の異なる薄膜である高屈折率層および低屈折率層が交互に積層された光学変換膜とを含んで構成される。前記高屈折率層の材料としては、例えば、五酸化タンタル(Ta2O5)を採用できる。また、前記低屈折率層の材料としては、例えば、二酸化珪素(SiO2)を採用できる。
【００５２】
そして、上述した光学フィルタ９１は、採用される光源ランプ４１１Ａのスペクトル特性に応じて製造されている。例えば、光学フィルタ９１は、以下に示す透過率特性を有している。
光学フィルタ９１は、図６に示すように、第１の波長帯Ａｒ１（460nm〜535nm程度）の入射光束、および第２の波長帯Ａｒ２（560nm〜595nm程度）の入射光束を反射するように構成されている。すなわち、光学フィルタ９１が赤、緑、青の各色光のスペクトルの間の入射光束を透過させないことで、光学フィルタ９１を介した光束において、赤、緑、青の各色の純度が高められる。
また、光学フィルタ９１は、入射光束における赤、緑、青の各色の純度を高めるとともに、赤、緑、青の各色の強度バランスを調整するように各色光毎の透過率が設定されている。例えば、強度の高い緑色光、青色光の透過率を赤色光の透過率よりも低くするように光学フィルタ９１の透過率を設定し、赤、緑、青の各色の強度を同程度とするように構成する。なお、光学フィルタ９１としては、これに限らず、赤、緑、青の各色の強度バランスをその他の比率とするように構成しても構わない。
【００５３】
〔7-2．移動機構の構成〕
移動機構９２は、光学フィルタ９１を支持し、図５の矢印Ｒ方向に、すなわち、光学部品用筐体４５に設定された照明光軸Ａを辿る光束の光路内外に光学フィルタ９１を移動させる部材である。この移動機構９２は、図７ないし図１２に示すように、第１固定部材９２１と、第２固定部材９２２と、駆動機構９２３と、移動部材９２４と、付勢部材９２５（図１０、図１１）とを備える。
【００５４】
第１固定部材９２１は、光学部品用筐体４５の上方側（上面）に固定され（図３または図４）、移動部材９２４の図７ないし図１２中、＋Ｙ軸方向端縁を移動可能に支持する部材である。この第１固定部材９２１は、図７ないし図１２に示すように、板体９２１１と、レール部９２１２と、固定部９２１３，９２１４とを備え、これら各部材９２１１〜９２１４が一体化されている。
板体９２１１は、図７ないし図１２に示すように、ＸＺ平面に沿って延出する平面視矩形状の板体であり、長手方向がＸ軸方向に向うように固定部９２１３，９２１４を介して光学部品用筐体４５に固定される。
【００５５】
レール部９２１２は、図７ないし図１２に示すように、板体９２１１の＋Ｚ軸方向端縁から略垂下し、移動部材９２４の後述する係合部と係合する部分である。
固定部９２１３は、図７、図８、図１０、または図１１に示すように、板体９２１１の＋Ｘ軸方向側に設けられた円孔である。
固定部９２１４は、図７ないし図１２に示すように、レール部９２１２の−Ｘ軸方向側の＋Ｙ軸方向端縁に設けられ、該＋Ｙ軸方向端縁から＋Ｚ軸方向に向けて突出する板状に形成され、略中央部分に円孔９２１４Ａが形成されている。
そして、図示しない固定ねじを固定部９２１３および固定部９２１４の円孔９２１４Ａに挿通し、前記各固定ねじを光学部品用筐体４５に螺合することで、第１固定部材９２１が固定される。
【００５６】
第２固定部材９２２は、光学部品用筐体４５の下方側（底面）に固定され、駆動機構９２３を駆動可能に支持する部材である。この第２固定部材９２２は、図７ないし図１２に示すように、載置固定部９２２１と、支持固定部９２２２とを備える。
載置固定部９２２１は、駆動機構９２３の後述するモータおよび減速ギアボックスを載置固定するとともに、支持固定部９２２２と組み合わせることで駆動機構９２３の後述する第１歯車および第２歯車を回動可能に挟持する。この載置固定部９２２１は、図１０または図１１に示すように、板体９２２１Ａと、第１取付部９２２１Ｂと、第２取付部９２２１Ｃとを備え、これら各部材９２２１Ａ〜９２２１Ｃが一体化されている。
【００５７】
板体９２２１Ａは、図１０または図１１に示すように、ＸＺ平面に沿って延出する平面視矩形状の板体であり、長手方向がＸ軸方向に向うように配置される。
この板体９２２１Ａには、図１０または図１１に示すように、載置固定部９２２１に対して、駆動機構９２３の後述する減速ギアボックスを位置決めするための複数の位置決め孔９２２１Ａ１、および前記減速ギアボックスを固定するための一対の固定用孔９２２１Ａ２が形成されている。
また、この板体９２２１Ａには、図１０または図１１に示すように、前記減速ギアボックスの軸部を挿通可能とする切り欠き９２２１Ａ３が形成されている。
【００５８】
第１取付部９２２１Ｂは、載置固定部９２２１および支持固定部９２２２を組み合わせるための部位である。この第１取付部９２２１Ｂは、図１０または図１１に示すように、板体９２２１Ａの−Ｘ軸方向端縁から−Ｙ軸方向に向けて突出し、突出方向先端部分がＸＺ平面に略平行して−Ｘ軸方向に延出する形状を有している。そして、第１取付部９２２１Ｂの延出部分には、図１０に示すように、支持固定部９２２２に対して、載置固定部９２２１を位置決めするための位置決め突起９２２１Ｂ１、および固定するための固定用孔９２２１Ｂ２が形成されている。
【００５９】
第２取付部９２２１Ｃは、載置固定部９２２１および支持固定部９２２２を組み合わせるための部位であるとともに、駆動機構９２３の後述する第２歯車の軸部の一方を軸支する部位である。この第２取付部９２２１Ｃは、図１０または図１１に示すように、板体９２２１Ａの＋Ｘ軸方向端縁から−Ｙ軸方向に向けて突出し、突出方向先端部分がＸＺ平面に略平行して＋Ｘ軸方向に延出する形状を有している。
そして、第２取付部９２２１Ｃの延出部分の＋Ｚ軸方向側には、図１０または図１１に示すように、支持固定部９２２２に対して、載置固定部９２２１を位置決めするための位置決め突起９２２１Ｃ１、および固定するための固定用孔９２２１Ｃ２が形成されている。
また、第２取付部９２２１Ｃの延出部分の−Ｚ軸方向側には、図１０または図１１に示すように、駆動機構９２３の後述する第２歯車の軸部の一方側を軸支するための円孔９２２１Ｃ３が形成されている。
【００６０】
そして、上述した第１取付部９２２１Ｂの突出寸法は、第２取付部９２２１Ｃの突出寸法よりも大きく設定されている。すなわち、第１取付部９２２１Ｂの延出部分は、第２取付部９２２１Ｃの延出部分よりも−Ｙ軸方向に位置付けられている。
【００６１】
支持固定部９２２２は、載置固定部９２２１と組み合わせることで駆動機構９２３の後述する第１歯車および第２歯車を回動可能に挟持するとともに、光学部品用筐体４５の下方側に固定される。この支持固定部９２２２は、図１０または図１１に示すように、板体９２２２Ａと、第１取付部９２２２Ｂと、第２取付部９２２２Ｃと、第１固定部９２２２Ｄと、第２固定部９２２２Ｅとを備え、これら各部材９２２２Ａ〜９２２２Ｅが一体化されている。
【００６２】
板体９２２２Ａは、図１０または図１１に示すように、ＸＺ平面に沿って延出する平面視矩形状の板体であり、長手方向がＸ軸方向に沿うように第１固定部９２２２Ｄおよび第２固定部９２２２Ｅを介して光学部品用筐体４５に固定される。
この板体９２２２Ａには、図１０または図１１に示すように、載置固定部９２２１を構成する板体９２２１Ａの切り欠き９２２１Ａ３に対応して駆動機構９２３の後述する第１歯車の軸部の他方側を軸支するための円孔９２２２Ａ１と、載置固定部９２２１を構成する第２取付部９２２１Ｃの円孔９２２１Ｃ３に対応して駆動機構９２３の後述する第２歯車の軸部の他方側を軸支するための円孔９２２２Ａ２とが形成されている。
【００６３】
第１取付部９２２２Ｂは、載置固定部９２２１および支持固定部９２２２を組み合わせるための部位である。この第１取付部９２２２Ｂは、図１０または図１１に示すように、板体９２２２Ａの−Ｘ軸方向端縁から−Ｘ軸方向に延出し、載置固定部９２２１を構成する第１取付部９２２１Ｂの位置決め突起９２２１Ｂ１および固定用孔９２２１Ｂ２に対応して、位置決め用孔９２２２Ｂ１および固定用孔９２２２Ｂ２を有する。
【００６４】
第２取付部９２２２Ｃは、載置固定部９２２１および支持固定部９２２２を組み合わせるための部位である。この第２取付部９２２２Ｃは、図１０または図１１に示すように、板体９２２２Ａの＋Ｚ軸方向端縁から＋Ｙ軸方向に向けて突出し、突出方向先端部分がＸＺ平面に略平行して＋Ｚ軸方向に延出する形状を有している。
そして、第２取付部９２２２Ｃの延出部分には、図１０または図１１に示すように、載置固定部９２２１を構成する第２取付部９２２１Ｃの位置決め突起９２２１Ｃ１および固定用孔９２２１Ｃ２に対応して、位置決め用孔９２２２Ｃ１および固定用孔９２２２Ｃ２を有する。
【００６５】
そして、第２取付部９２２２Ｃの突出寸法は、第１取付部９２２１Ｂおよび第２取付部９２２１Ｃと第１取付部９２２２Ｂおよび第２取付部９２２２Ｃとで載置固定部９２２１および支持固定部９２２２を組み合わせた際に、図９に示すように、載置固定部９２２１を構成する板体９２２１ＡがＸＺ平面に略平行となり、板体９２２２Ａと載置固定部９２２１を構成する第２取付部９２２１Ｃの延出部分との間に駆動機構９２３の後述する第２歯車を配置可能に設定されている。
また、上述した載置固定部９２２１を構成する第１取付部９２２１Ｂの突出寸法は、第１取付部９２２１Ｂおよび第２取付部９２２１Ｃと第１取付部９２２２Ｂおよび第２取付部９２２２Ｃとで載置固定部９２２１および支持固定部９２２２を組み合わせた際に、図９に示すように、載置固定部９２２１を構成する板体９２２１Ａと支持固定部９２２２を構成する板体９２２２Ａとの間に駆動機構９２３の後述する第１歯車を配置可能に設定されている。
【００６６】
第１固定部９２２２Ｄおよび第２固定部９２２２Ｅは、図１０または図１１に示すように、板体９２２１Ａの＋Ｚ軸方向端縁、および−Ｚ軸方向端縁に設けられ、第２固定部材９２２および駆動機構９２３を光学部品用筐体４５の下方側に取り付けるための部位である。そして、第１固定部９２２２Ｄおよび第２固定部９２２２Ｅには、図１０または図１１に示すように、光学部品用筐体４５に対して、第２固定部材９２２を位置決め・固定するための孔９２２２Ｄ１，９２２２Ｅ１が形成されている。
【００６７】
駆動機構９２３は、第２固定部材９２２に支持されつつ、駆動することで移動部材９２４をＸ軸方向（図５中、矢印Ｒ方向）に移動させる部材である。この駆動機構９２３は、図９ないし図１１に示すように、モータ９２３１と、減速ギアボックス９２３２と、第１歯車９２３３と、第２歯車９２３４とを備える。
モータ９２３１は、一般的なモータであり、前記制御基板等による制御にて駆動する。そして、このモータ９２３１は、そのモータ軸（図示略）が−Ｙ軸方向に向くように配設され、前記モータ軸が減速ギアボックス９２３２を構成するギアの軸部（図示略）と接続する。
【００６８】
減速ギアボックス９２３２は、具体的な図示は省略するが、複数のギア（図示略）を噛合させ、伝達された回転速度を減速するものである。そして、この減速ギアボックス９２３２は、図１０または図１１に示すように、前記ギアの軸部（図示略）がモータ９２３１のモータ軸および第１歯車９２３３の軸部９２３３Ａの一方側と接続し、モータ９２３１の駆動によるモータ軸の回転速度を減速して第１歯車９２３３に伝達する。
この減速ギアボックス９２３２の−Ｙ軸方向端面には、図１０または図１１に示すように、第２固定部材９２２を構成する板体９２２１Ａの位置決め孔９２２１Ａ１および一対の固定用孔９２２１Ａ２に対応して、位置決め突起９２３２Ａおよび一対の固定用孔９２３２Ｂが形成されている。そして、モータ９２３１および減速ギアボックス９２３２は、位置決め突起９２３２Ａを位置決め孔９２２１Ａ１に嵌合することで第２固定部材９２２に対して位置決めされ、一対の固定用孔９２３２Ｂを介して図示しない固定ねじを挿通し一対の固定用孔９２２１Ａ２に螺合することで第２固定部材９２２に固定される。
【００６９】
第１歯車９２３３は、軸部９２３３Ａが第２固定部材９２２の切り欠き９２２１Ａ３および円孔９２２２Ａ１にそれぞれ挿通され、回転可能に軸支される。そして、第１歯車９２３３は、軸部９２３３Ａの一方側が減速ギアボックス９２３２のギアの軸部と接続し、噛合部９２３３Ｂが第２歯車９２３４と噛合し、前記ギアの回転を第２歯車９２３４に伝達する。
【００７０】
第２歯車９２３４は、軸部９２３４Ａが第２固定部材９２２の円孔９２２１Ｃ３および円孔９２２２Ａ２にそれぞれ挿通され、回転可能に軸支される。そして、第２歯車９２３４は、噛合部９２３４Ｂが第１歯車９２３３の噛合部９２３３Ｂ、および移動部材９２４の後述するラックと噛合し、第１歯車９２３３の回転を移動部材９２４に伝達する。
【００７１】
移動部材９２４は、光学フィルタ９１を支持するとともに、駆動機構９２３の駆動により第１固定部材９２１のレール部９２１２、および光学部品用筐体４５の底面に形成された溝部（図示略）に沿って、Ｘ軸方向（図５中、矢印Ｒ方向）に移動するものである。この移動部材９２４は、図７ないし図１１に示すように、平面視コ字形状を有する板体であり、コ字状先端部分が＋Ｘ軸方向（照明光軸Ａに近接する方向）に向くように配置され、コ字状内側部分にて光学フィルタ９１を支持固定する。
この移動部材９２４において、＋Ｙ軸方向端部には、図８ないし図１２に示すように、＋Ｙ軸方向に向けて突出して断面視略コ字形状を有し、コ字状内側部分にて第１固定部材９２１のレール部９２１２と係合する一対の係合部９２４１が形成されている。
【００７２】
また、この移動部材９２４において、＋Ｚ軸方向端面における−Ｙ軸方向端部側には、図８ないし図１１に示すように、駆動機構９２３の第２歯車９２３４と噛合するラック９２４２がＸ軸方向に延びるように形成されている。そして、移動部材９２４は、駆動機構９２３の駆動により第２歯車９２３４の回転がラック９２４２に伝達されることで、Ｘ軸方向（図５中、矢印Ｒ方向）に移動し、光束の光路内に配設することで光学フィルタ９１に投影画像の色合いを調整させる調整位置Ｐ１（図５）、光束の光路外に配設することで入射光束をそのまま光路後段側に進行させる非調整位置Ｐ２（図５）に光学フィルタ９１を位置付ける。
【００７３】
さらに、この移動部材９２４において、コ字状内側部分における＋Ｙ軸方向端縁には、図８ないし図１２に示すように、−Ｙ軸方向に向けて突出し、光学フィルタ９１を移動部材９２４に設置した状態で、光学フィルタ９１の＋Ｙ軸方向端部側のＺ軸方向両端面にそれぞれ対向する一対の第１支持部９２４３Ａ，９２４３Ｂが形成されている。
これら第１支持部９２４３Ａ，９２４３Ｂのうち、−Ｚ軸方向側の第１支持部９２４３Ｂには、図１１に示すように、＋Ｘ軸方向側の＋Ｚ軸方向端面に−Ｚ軸方向に向けて窪み、付勢部材９２５を設置するための凹部９２４３Ｂ１が形成されている。そして、この凹部９２４３Ｂ１の底部分の一部には、図７または図１０に示すように、−Ｚ軸方向端面に貫通し、付勢部材９２５と係合する係合孔９２４３Ｂ２が形成されている。
これら第１支持部９２４３Ａ，９２４３Ｂの離間寸法は、光学フィルタ９１の厚み寸法よりも大きく形成されている。
【００７４】
さらにまた、この移動部材９２４において、コ字状内側部分における−Ｙ軸方向端縁には、図７、図１１、または図１２に示すように、＋Ｙ軸方向に向けて突出し、光学フィルタ９１を移動部材９２４に設置した状態で、光学フィルタ９１の−Ｙ軸方向端部側のＺ軸方向両端面にそれぞれ対向する一対の第２支持部９２４４Ａ，９２４４Ｂが形成されている。
これら第２支持部９２４４Ａ，９２４４Ｂの離間寸法は、上述した一対の第１支持部９２４３Ａ，９２４３Ｂと同様に、光学フィルタ９１の厚み寸法よりも大きく形成されている。
そして、上述した一対の第１支持部９２４３Ａ，９２４３Ｂと一対の第２支持部９２４４Ａ，９２４４Ｂとは、図１２に示すように、Ｚ軸方向にずれた位置に形成されている。より具体的に、一対の第１支持部９２４３Ａ，９２４３Ｂは、一対の第２支持部９２４４Ａ，９２４４Ｂに対して、＋Ｚ軸方向側に所定寸法、ずれた位置に形成されている。
【００７５】
光学フィルタ９１を移動部材９２４に設置する際には、一対の第１支持部９２４３Ａ，９２４３Ｂ間、および一対の第２支持部９２４４Ａ，９２４４Ｂ間に光学フィルタ９１のＹ軸方向両端部側をそれぞれ挿入する。この状態では、一対の第１支持部９２４３Ａ，９２４３Ｂと一対の第２支持部９２４４Ａ，９２４４ＢとがＺ軸方向にずれた位置に形成されているため、光学フィルタ９１は、図１２に示すように、光束射出側端面９１１がＸＹ平面（入射光束の光軸であるＺ軸に直交する平面）に対して所定角度、傾斜するように配設される。より具体的に、光学フィルタ９１は、図１２に示すように、光束射出側端面９１１が−Ｙ軸方向に向く方向にＸＹ平面に対して所定角度、傾斜するように配設される。
【００７６】
付勢部材９２５は、図１０または図１１に示すように、基体９２５１からばね部９２５２が折り曲げられた板バネで構成される。この付勢部材９２５は、光学フィルタ９１を移動部材９２４に設置した状態で、光学フィルタ９１および第１支持部９２４３Ｂ間に挿通され第１支持部９２４３Ｂの凹部９２４３Ｂ１に設置される。そして、付勢部材９２５を設置した状態では、ばね部９２５２の付勢力により基体９２５１が光学フィルタ９１を第１支持部９２４３Ｂから第１支持部９２４３Ａに向けて（光学フィルタ９１の傾斜方向に）付勢する。また、付勢部材９２５を設置した状態では、ばね部９２５２の先端部分が第１支持部９２４３Ｂの係合孔９２４３Ｂ２に係合し、外力の影響によって付勢部材９２５が外れることを防止している。
【００７７】
上述した実施形態においては、光学フィルタ９１を光源装置４１１から液晶パネル４４１までの光路中に配設しているので、光学フィルタ９１にて光源装置４１１から射出された光束の所定のスペクトル成分を除去できる。例えば、光学フィルタ９１にて緑色の波長帯のスペクトル成分を所定の割合で除去することで、白色となる部分が緑がかった白色となることがなく、投影画像のコントラストの低下を防止できる。
また、光学フィルタ９１を光源装置４１１から液晶パネル４４１までの光路中に配設することで、例えば、光学フィルタ９１を投射レンズの光路後段側に配設する構成と比較して、光学像の端部を形成する光束と中心部を形成する光束との光学フィルタ９１の光束入射側端面に対する入射角の差を小さくでき、色むらを低減できる。
【００７８】
ところで、光学フィルタ９１の光束射出側端面９１１が光束の光軸に直交するように、光学フィルタ９１を光源装置４１１から液晶パネル４４１までの光路中に配設した場合には、例えば、以下の問題が生じやすい。
例えば、光源装置４１１から射出された光束が液晶パネル４４１に照射された際、液晶パネル４４１の構造上、液晶パネル４４１における外縁部分にて光束が反射してプロジェクタ１内部において迷光となることが知られている。
そして、液晶パネル４４１の外縁部分にて反射された迷光は、光源装置４１１〜液晶パネル４４１までの光束の軌跡を辿って光源装置４１１に向けて戻る。この際、光学フィルタ９１の光束射出側端面９１１が光束の光軸に直交するように配設されている場合には、迷光が光学フィルタ９１の光束射出側端面９１１にて反射し、再度、迷光が液晶パネル４４１の画像形成領域等に照射される。このような状態では、液晶パネル４４１の画像形成領域に不要な光が入り込むため、該不要な光により投影画像の色むらの増加等が生じ、投影画像を良好に維持することができない。
本実施形態では、光学フィルタ９１は、光束射出側端面９１１が光束の光軸に直交する平面に対して所定角度、傾斜するように配設されている。このことにより、光学フィルタ９１の光束射出側端面９１１にて反射した迷光が液晶パネル４４１の画像形成領域から外れるように、光学フィルタ９１の傾斜角度を設定しておけば、液晶パネル４４１の画像形成領域に不要な光が入り込むことを防止でき、投影画像を良好に維持できる。
【００７９】
ここで、光学フィルタ９１は、色分離光学系４２の光路前段側、すなわち、色分離光学系４２にて赤、緑、青の各色光に分離される分離位置よりも光路前段側に配置されている。このため、光学フィルタ９１にて、光源装置４１１から射出された光束の赤、緑、青の各色の波長帯のスペクトル成分をそれぞれ補正することができ、各色の強度バランスを所望の強度バランスに設定でき、投影画像を所望の色合いで表示できる。
【００８０】
図１３ないし図１６は、前記実施形態の効果を説明するための図である。具体的に、図１３および図１４は、光源装置４１１から射出され液晶パネル４４１の外縁部分である上方側端縁および下方側端縁に照射され外縁部分にて反射した迷光の軌跡を模式的に示す図である。そして、図１３は光学フィルタ９１を重畳レンズ４１５の光路後段側に配設した場合を模式的に示す図であり、図１４は光学フィルタ９１を重畳レンズ４１５および第２レンズアレイ４１３間（偏光変換素子４１４および第２レンズアレイ４１３間）に配設した場合（本実施形態）を模式的に示す図である。また、図１５および図１６は、図１３および図１４に対応し、光学フィルタ９１の光束射出側端面９１１にて反射され液晶パネル４４１に照射される迷光の状態を模式的に示す図である。
なお、図１３および図１４では、説明の便宜上、光学フィルタ９１、重畳レンズ４１５、液晶パネル４４１のみを図示し、その他の光学部品、移動機構９２等の図示を省略している。
【００８１】
ところで、光源装置４１１から液晶パネル４４１までの光路中において、重畳レンズ４１５と、重畳レンズ４１５から液晶パネル４４１までの光路中に配設され重畳レンズ４１５から射出される光束を重畳レンズ４１５とともに液晶パネル４４１の画像形成領域に結像させるフィールドレンズ４１７等の光学系との前側合成焦点面から外れた位置（以下、非焦点面位置と記載する）、例えば、重畳レンズ４１５の光路後段側等に、光学フィルタ９１を配設した場合には、図１３に示すように、液晶パネル４４１の外縁部分にて反射された迷光は、光学フィルタ９１の光束射出側端面９１１にて発散光として反射されてしまう。
例えば、図１３（Ａ）に示すように、光学フィルタ９１の光束射出側端面９１１が光束の光軸に直交するように前記非焦点面位置に配設した場合には、液晶パネル４４１の外縁部分にて反射された迷光は、光源装置４１１〜液晶パネル４４１までの光束の軌跡を辿って光源装置４１１に向けて戻り、光学フィルタ９１の光束射出側端面９１１にて発散光として反射され、図１５（Ａ）に示すように、液晶パネル４４１の画像形成領域を平面的に覆うように液晶パネル４４１を照射する。すなわち、迷光の液晶パネル４４１への照射面積が大きいものとなる。したがって、図１３（Ｂ）に示すように光学フィルタ９１の光束射出側端面９１１にて反射した迷光が液晶パネル４４１の画像形成領域から外れるように光学フィルタ９１の傾斜角度θ１を設定する際、図１５（Ｂ）に示すように迷光の液晶パネル４４１への照射面積が比較的に大きいので液晶パネル４４１に照射される迷光を移動させるための移動量Ｌ１が大きくなり、すなわち、傾斜角度θ１を比較的に大きくする必要があり、光学フィルタ９１の傾斜角度θ１分、光学フィルタ９１の光軸方向の設置スペースを余計に必要としてしまう。また、光学フィルタ９１を必要以上に傾斜させた場合には、光学フィルタ９１の特性上、投影画像に色むらや色ずれが生じやすい。
【００８２】
これに対して、本実施形態では、図１４に示すように、光源装置４１１から液晶パネル４４１までの光路中において、重畳レンズ４１５と、重畳レンズ４１５から液晶パネル４４１までの光路中に配設され重畳レンズ４１５から射出される光束を重畳レンズ４１５とともに液晶パネル４４１の画像形成領域に結像させるフィールドレンズ４１７等の光学系との前側合成焦点面近傍位置（以下、焦点面位置と記載する）、すなわち、第２レンズアレイ４１３および偏光変換素子４１４間に、光学フィルタ９１が配設されている。このため、液晶パネル４４１の外縁部分にて反射された迷光を、該光学フィルタ９１の光束射出側端面９１１にて収束光として反射させることができる。
例えば、図１４（Ａ）に示すように光学フィルタ９１の光束射出側端面９１１が光束の光軸に直交するように前記焦点面位置に配設した場合、液晶パネル４４１の外縁部分にて反射された迷光は、光源装置４１１〜液晶パネル４４１までの光束の軌跡を辿って光源装置４１１に向けて戻り、光学フィルタ９１の光束射出側端面９１１にて収束光として反射され、再度、液晶パネル４４１の外縁部分に結像する。すなわち、迷光の液晶パネル４４１への照射面積が図１６（Ａ）に示すように小さいものとなる。したがって、図１４（Ｂ）に示すように光学フィルタ９１の光束射出側端面９１１にて反射した迷光が液晶パネル４４１の画像形成領域から外れるように光学フィルタ９１の傾斜角度θ２を設定する際、図１６（Ｂ）に示すように迷光の液晶パネル４４１への照射面積が小さいので液晶パネル４４１に照射される迷光を移動させるための移動量Ｌ２が小さくなり、傾斜角度θ２を比較的に小さいものとすることができ、光学フィルタ９１の光軸方向の設置スペースを大きくすることがない。また、光学フィルタ９１の傾斜角度θ２を小さく設定できるので、光学フィルタ９１を必要以上に傾斜させることにより投影画像に色むらや色ずれが生じることを回避できる。
なお、上述した傾斜角度θ２は、液晶パネル４４１のサイズ、迷光を移動させる方向、光学フィルタ９１および液晶パネル４４１間に配設されるレンズ等の光学部品の光学特性を考慮して計算により算出されるものである。
【００８３】
ここで、液晶パネル４４１のアスペクト比は、一般的に、縦よりも横の方が長く設定されている。そして、本実施形態では、光学フィルタ９１は、光束射出側端面９１１が−Ｙ軸方向（下方向）に向く方向にＸＹ平面に対して所定角度、傾斜するように配設されている。すなわち、光学フィルタ９１の光束射出側端面９１１にて反射した迷光が液晶パネル４４１の下方側に逃げるように、光学フィルタ９１を傾斜させている。上述した液晶パネル４４１のアスペクト比を考慮した場合には、光学フィルタ９１の光束射出側端面９１１にて反射した迷光を液晶パネル４４１の横方向に逃がすための移動量よりも、縦方向に逃がすための移動量の方が小さくなる。したがって、迷光を移動させる移動量をより小さいものとすることができ、すなわち、光学フィルタ９１の傾斜角度θ２をより小さいものとすることができ、光学フィルタ９１の光軸方向の設置スペースをより小さいものとすることができる。
【００８４】
また、光学フィルタ９１が移動機構９２により移動可能に支持されているので、移動機構９２によって、ビジネスユースの場合は光学フィルタ９１を調整位置Ｐ１に位置付け、ホームユースの場合は光学フィルタ９１を非調整位置Ｐ２に位置付けることで使用目的に応じて適切な投影画像を得ることができる。
【００８５】
ところで、例えば、移動機構として、光学フィルタ９１をその面外方向に回動させる構成を採用した場合には、光学フィルタ９１の回動時に他の光学部品と機械的に干渉しないように、光学フィルタ９１の光軸方向の設置スペースを比較的大きく設定する必要がある。
本実施形態では、移動機構９２は、光学フィルタ９１を光束射出側端面９１１が光束の光軸に直交する平面に対して所定角度、傾斜した状態で調整位置Ｐ１および非調整位置Ｐ２にスライド移動させる。このことにより、例えば、移動機構により光学フィルタ９１をその面外方向に回動させる構成と比較して、光学フィルタ９１の光軸方向の設置スペースを小さく設定でき、第２レンズアレイ４１３および偏光変換素子４１４間のような狭い空間にも容易に配設することができる。
【００８６】
さらに、移動機構９２を構成する移動部材９２４には一対の第１支持部９２４３Ａ，９２４３Ｂおよび一対の第２支持部９２４４Ａ，９２４４Ｂが形成され、一対の第１支持部９２４３Ａ，９２４３Ｂと一対の第２支持部９２４４Ａ，９２４４Ｂとは、光軸方向に所定寸法ずれた位置にそれぞれ形成されている。このことにより、一対の第１支持部９２４３Ａ，９２４３Ｂおよび一対の第１支持部９２４４Ａ，９２４４Ｂにて光学フィルタ９１の対向する各端部側を支持することで、光学フィルタ９１の光束射出側端面９１１が光束の光軸に直交する平面に対して所定角度θ２、傾斜した状態に容易に設定できる。
また、付勢部材９２５にて光学フィルタ９１を傾斜方向に付勢することで光学フィルタ９１を移動部材９２４に対して取り付けているので、光学フィルタ９１の何らかの不具合により交換を行う際に、付勢部材９２５を取り外すことで、光学フィルタ９１に対する付勢状態を開放することができ、容易に、光学フィルタ９１の交換を行うことができる。
さらに、移動部材９２４が平面視略コ字形状を有し、該コ字状先端部分が光束の光軸に近接する側に位置するように配設されているので、光学フィルタ９１を調整位置Ｐ１および非調整位置Ｐ２に移動させる際に、移動部材９２４にて光束を遮蔽することがなく、投影画像を良好に維持できる。
【００８７】
なお、本発明は前述の実施形態に限定されるものではなく、本発明の目的を達成できる範囲での変形、改良等は本発明に含まれるものである。
前記実施形態では、光学フィルタ９１は、光束入射側端面および光束射出側端面が平行となる略板状に形成されている。そして、光学フィルタ９１全体を傾斜させることで、光学フィルタ９１の光束射出側端面９１１が光束の光軸に直交する平面に対して所定角度θ２、傾斜するように設定している。本発明は、これに限らず、光学フィルタの光束射出側端面が光束の光軸に直交する平面に対して所定角度θ２、傾斜するように設定されていればよく、例えば、光学フィルタを光束入射側端面および光束射出側端面が平行しない断面視略くさび形状を有するように形成し、光学フィルタの光束射出側端面が光束の光軸に直交する平面に対して所定角度θ２、傾斜するように配設する構成を採用してもよい。
【００８８】
前記実施形態では、光学フィルタ９１は、迷光が液晶パネル４４１の下方側に逃げるように、すなわち、光束射出側端面９１１が−Ｙ軸方向に向く方向にＸＹ平面に対して所定角度θ２、傾斜させていたが、これに限らず、所定角度θ２だけ、ＸＹ平面に対して傾斜していればよく、例えば、光束射出側端面９１１が＋Ｙ軸方向に向く方向にＸＹ平面に対して所定角度θ２傾斜させた構成を採用してもよい。
前記実施形態では、光学フィルタ９１は、図１４（Ｂ）に示すように焦点面位置に配設されていたが、本発明はこれに限らず、例えば、図１３（Ｂ）に示すように非焦点面位置に配設する構成を採用しても本発明の目的を十分に達成できる。
【００８９】
前記実施形態では、光学フィルタ９１は、第２レンズアレイ４１３および偏光変換素子４１４の間に配設されていたが、これに限らず、焦点面位置に配設することが好ましく、例えば、光学フィルタ９１を偏光変換素子４１４および重畳レンズ４１５の間に配設してもよい。
前記実施形態では、第２レンズアレイ４１３および重畳レンズ４１５の間に、重畳レンズ４１５およびフィールドレンズ４１７の前側合成焦点面が位置付けられていたが、これに限らず、その他の位置に前側合成焦点面が位置付けられている構成を採用してもよい。このように構成した場合には、光学フィルタ９１を、前側合成焦点面位置近傍に配設することが好ましい。
前記実施形態では、インテグレータ照明光学系４１として、第１レンズアレイ４１２、第２レンズアレイ４１３、重畳レンズ４１５を含んだ構成としたが、これに限らず、柱状のガラスロッドや、中空のガラスロッド等を用いたインテグレータロッドとリレーレンズを備えた構成を採用しても構わない。このように構成した場合であっても、光学フィルタ９１を、光源装置４１１から射出された光束を液晶パネル４４１に結像させることに寄与するレンズ系の前側合成焦点面位置近傍に配設することが好ましい。
【００９０】
前記実施形態では、付勢部材９２５は、光学フィルタ９１および第１支持部９２４３Ｂ間に配設していたが、これに限らず、光学フィルタ９１および第２支持部９２４４Ｂ間に配設する構成や、光学フィルタ９１と第１支持部９２４３Ｂとの間、および、光学フィルタ９１と第２支持部９２４４Ｂとの間の双方に配設する構成を採用しても構わない。
【００９１】
前記実施形態では、３つの液晶パネル４４１を用いたプロジェクタ１を説明したが、これに限らない。例えば、２つの液晶パネルを用いたプロジェクタ、あるいは、４つ以上の液晶パネルを用いたプロジェクタにも適用可能である。また、液晶パネル４４１は、透過型を採用していたが、これに限らず、反射型の液晶パネルを採用してもよく、あるいは、ディジタル・マイクロミラー・デバイス（テキサス・インスツルメント社の商標）を採用してもよい。ディジタル・マイクロミラー・デバイスを採用した場合には、入射側偏光板４４２Ａおよび射出側偏光板４４２Ｂが不要となる。
前記実施形態では、光学ユニット４は、平面視略Ｌ字状の形状を有していたが、その他の形状を採用してもよく、例えば、平面視略Ｕ字状の形状としてもよい。
前記実施形態では、スクリーンを観察する方向から投射を行うフロントタイプのプロジェクタの例のみを説明したが、本発明では、スクリーンを観察する方向とは反対側から投射を行うリアタイプのプロジェクタにも適用可能である。
【００９２】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想及び目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【産業上の利用可能性】
【００９３】
本発明は、投影画像のコントラストの低下を防止できるとともに、色むらを低減できるため、ホームシアタ等で用いられるプロジェクタとして利用できる。
利用できる。
【図面の簡単な説明】
【００９４】
【図１】本実施形態におけるプロジェクタの外観を示す斜視図。
【図２】前記実施形態におけるプロジェクタの外観を示す斜視図。
【図３】前記実施形態におけるプロジェクタの内部構成を示す図。
【図４】前記実施形態におけるプロジェクタの内部構成を示す図。
【図５】前記実施形態における光学ユニットの光学系を模式的に示す平面図。
【図６】前記実施形態における光源ランプのスペクトル特性の一例を示す図。
【図７】前記実施形態における光学フィルタ装置の概略構成を示す図。
【図８】前記実施形態における光学フィルタ装置の概略構成を示す図。
【図９】前記実施形態における光学フィルタ装置の概略構成を示す図。
【図１０】前記実施形態における光学フィルタ装置の概略構成を示す図。
【図１１】前記実施形態における光学フィルタ装置の概略構成を示す図。
【図１２】前記実施形態における光学フィルタ装置の概略構成を示す図。
【図１３】前記実施形態の効果を説明するための図。
【図１４】前記実施形態の効果を説明するための図。
【図１５】前記実施形態の効果を説明するための図。
【図１６】前記実施形態の効果を説明するための図。
【符号の説明】
【００９５】
１・・・プロジェクタ、３・・・投射レンズ（投射光学装置）、４１・・・インテグレータ照明光学系、４２・・・色分離光学系、４５・・・部品収納部材、９１・・・光学フィルタ、９２・・・移動機構、４１１・・・光源装置、４１２・・・第１レンズアレイ、４１３・・・第２レンズアレイ、４１５・・・重畳レンズ、４４１・・・液晶パネル（光変調装置）、４４３・・・クロスダイクロイックプリズム（色合成光学装置）、９２１，９２２・・・固定部材、９２３・・・駆動機構、９２４・・・移動部材、９２５・・・付勢部材、９２４３Ａ，９２４３Ｂ・・・第１支持部、９２４４Ａ，９２４４Ｂ・・・第２支持部。
【図１】
0004645371.tif 000002
【図２】
0004645371.tif 000003
【図３】
0004645371.tif 000004
【図４】
0004645371.tif 000005
【図５】
0004645371.tif 000006
【図６】
0004645371.tif 000007
【図７】
0004645371.tif 000008
【図８】
0004645371.tif 000009
【図９】
0004645371.tif 000010
【図１０】
0004645371.tif 000011
【図１１】
0004645371.tif 000012
【図１２】
0004645371.tif 000013
【図１３】
0004645371.tif 000014
【図１４】
0004645371.tif 000015
【図１５】
0004645371.tif 000016
【図１６】
0004645371.tif 000017